(57)【要約】【課題】きつい汚れの洗濯物と軽い汚れの洗濯物とを分離して分け洗いができるとともに、汚れのきつい洗濯物の洗浄力を高める。【解決手段】内槽４内に収容する洗濯物を分離する仕切手段８と、前記内槽４の洗浄液を加熱して所定の温度を制御する制御手段１６を設け、前記仕切手段８により、前記内槽４内を前記攪拌翼７を有する第１の洗浄室９と、攪拌翼７を有しない第２の洗浄室１０とに分離するとともに、前記第１の洗浄室９で洗浄する第１の洗浄工程と、前記第１及び第２の洗浄室で洗浄する第２の洗浄工程とに分けて洗浄するものである。【選択図】  図１
2004159974.tif 000002
【特許請求の範囲】
【請求項１】
外槽内に回転自在に支持された洗濯物を収納する内槽と、前記内槽内に設けられた洗濯物を撹拌する撹拌翼と、前記内槽内に収容する洗濯物を分離する仕切手段と、前記内槽の洗浄液を加熱する加熱手段と、洗浄液の温度を検知する温度検知手段と、前記温度検知手段の情報をもとに洗浄液の温度を制御する制御手段とを具備し、前記仕切手段により、前記内槽内を前記攪拌翼を有する第１の洗浄室と、攪拌翼を有しない第２の洗浄室とに分離するとともに、前記第１の洗浄室で洗浄する第１の洗浄工程と、前記第１及び第２の洗浄室で洗浄する第２の洗浄工程とに分けて洗浄する洗濯機。
【請求項２】
少なくとも第１の洗浄室で洗浄する第１の洗浄工程に、加熱手段を動作させて洗浄液を加熱して洗浄する請求項１記載の洗濯機。
【請求項３】
外槽内に回転自在に支持された洗濯物を収納する内槽と、前記内槽内に設けられた洗濯物を撹拌する撹拌翼と、前記内槽内に収容する洗濯物を分離する仕切手段と、洗浄液の温度を検知する温度検知手段と、前記温度検知手段の情報をもとに洗浄液の温度を制御する制御手段とを具備し、前記仕切手段により、前記内槽内を前記攪拌翼を有する第１の洗浄室と、攪拌翼を有しない第２の洗浄室とに分離するとともに、前記第１の洗浄室で洗浄する第１の洗浄工程と、前記第１及び第２の洗浄室で洗浄する第２の洗浄工程とを有し、少なくとも前記第１の洗浄工程で洗濯機外から前記内槽に給湯して洗浄する洗濯機。
【請求項４】
制御手段は、少なくとも第１の洗浄室で洗浄する第１の洗浄工程の洗浄液を所定温度に制御して洗浄する請求項１〜３のいずれか１項に記載の洗濯機。
【請求項５】
第１の洗浄工程を終了した後、第２の洗浄工程に必要な所定水量を給水し、前記第１の洗浄工程の後に第２の洗浄工程を実施する請求項１〜４のいずれか１項に記載の洗濯機。
【請求項６】
第１の洗浄工程の前に、第１の洗浄室に収納された洗濯物の温水による予洗いと、この予洗いで使用した洗浄液を排水するようにした請求項１〜５のいずれか１項に記載の洗濯機。
【発明の詳細な説明】
【０００１】
【発明の属する技術分野】
本発明は、洗濯物を分けて洗うことができる洗濯機に関するものである。
【０００２】
【従来の技術】
従来、汚れのきつい洗濯物と、比較的軽い汚れの洗濯物を洗濯する場合に、洗濯槽である内槽に洗濯物を入れて洗濯すると、汚れの軽いもの、白物の洗濯物へ汚れの色が付着する。このため、汚れのきつい汚れの洗濯物と軽い汚れの洗濯物は分け洗いが行われていた（例えば、特許文献１参照）。この公報に記載された洗濯機は、洗濯兼脱水槽である内槽と、この内槽を内置する外槽と、内槽を回転駆動させる駆動装置を有しており、前記内槽に他の洗濯物と混在することなく分けて洗うことができる衣類収納体を、内槽の周壁部に複数個備えて洗濯するものである。具体的には、前記衣類収納体にデリケートな衣類、糸屑の発生しやすい衣類等を収納して、内槽に収納された他の洗濯物と一緒に洗濯するようになっている。
【０００３】
また、分け洗いを実現できるものとして、二槽式洗濯機が知られており、両方の洗濯槽に洗濯物を撹拌する撹拌翼を備えている（例えば、特許文献２参照）。この公報に記載された洗濯機は、洗濯物の生地の違い、色物と白物、汚れの程度等により、別々の洗濯槽で洗濯を行うことができる。
【０００４】
一方の主洗濯槽は、内部に洗濯水を貯える外槽と、外槽内に洗濯物を収納し、回転自在に構成した内槽と、内槽の底部に洗濯水、及び洗濯物を撹拌するための撹拌翼と、撹拌翼を駆動する駆動装置を備えており、洗濯、すすぎ、脱水工程が行えるようになっている。また、他方の洗濯槽は洗濯水、又はすすぎ水を貯える副洗濯槽と、副洗濯槽内に洗濯物を撹拌する撹拌翼を備え、洗濯、すすぎ工程が行えるようになっている。前記主洗濯槽と副洗濯槽との間は、排水路で連結され主洗濯槽から副洗濯槽に水を移動させることができるようになっている。
【０００５】
また、洗濯機に加熱手段を装備し、洗浄液を加熱して洗浄するものがある。この種の洗濯機は内槽に洗濯物を収納し、外槽に洗浄水を給水後、前記加熱手段で洗浄液を加熱して洗浄を行う。洗浄水は内槽に収納された全ての洗濯物を一度に洗浄するのに必要な水量を加熱するものである。また、温水洗浄の別の方法として給湯設備により作られたお湯を洗濯機に給湯して洗浄するものもあった。
【０００６】
【特許文献１】
特開平９−３０８７９１号公報
【特許文献２】
特開平９−２２５１８５号公報
【０００７】
【発明が解決しようとする課題】
しかしながら、機械力による生地の傷みを気にしない運動用の靴下、作業服等のきつい汚れの洗濯物と、軽い汚れの洗濯物をまとめて洗濯する場合は、内槽内の洗濯物に与えられる機械力は、洗濯物の位置によって大きく異なる。すなわち、内槽内の底部で撹拌翼に接触するものと、撹拌翼から離れているものによって大きく変わる。洗濯物は撹拌翼によって撹拌され移動するので、その位置は時間とともに変化するが、撹拌翼と接する時間は短い。従って、撹拌翼から離れているものは前記きつい汚れの洗濯物に集中して機械力が与えられないので、汚れ落ちを高めることができない。前記特許文献１の衣類収納体に収納された洗濯物は、デリケートな衣類を洗濯するのに適しているが、きつい汚れの洗濯物の洗浄力を高めることができない。
【０００８】
また、同一の内槽で泥汚れ等のきつい汚れと、ハンカチ、カッターシャツ、ブラウス等の白物のまとめ洗いを行えば、白物に色が転着するので、使用者は２回に分けて洗濯作業を行うことになり、洗濯水、洗剤、作業時間を必要としていた。
【０００９】
さらに、２槽式洗濯機においては、主洗濯槽の洗濯液、あるいは、すすぎ水を副洗濯槽で再利用することで節水することができる。しかし、副洗濯槽の洗濯物を脱水するためには、主洗濯槽に移し替える必要があり、洗濯作業はまとめて一回で完了しないので使用者としては不便であった。
【００１０】
また、加熱手段を装備したもの、あるいは、給湯設備からお湯を洗濯機に給湯して洗濯物を温水洗浄するものは、収納された全ての洗濯物を一度に洗浄するのに必要な水量を加熱する必要があり、洗浄水を所定の温度に維持するためには多くの熱量を必要としていた。本来、汚れのきつい洗濯物を温水で洗浄し、軽い汚れの洗濯物は温水で洗浄しなくても十分な洗浄力が得られるものである。
【００１１】
本発明は、上記従来の課題を解決するもので、一回の洗濯作業工程で分け洗いを可能とし、汚れのきつい洗濯物を温水で洗浄することで洗浄力を高めると共に、使い勝手の向上を図った洗濯機を提供することを目的とする。
【００１２】
【課題を解決するための手段】
本発明は、前記従来の課題を解決するために、内槽内に収容する洗濯物を分離する仕切手段と、前記内槽の洗浄液を加熱して所定の温度を制御する制御手段を設け、前記仕切手段により、前記内槽内を前記攪拌翼を有する第１の洗浄室と、攪拌翼を有しない第２の洗浄室とに分離するとともに、前記第１の洗浄室で洗浄する第１の洗浄工程と、前記第１及び第２の洗浄室で洗浄する第２の洗浄工程とに分けて洗浄するものである。
【００１３】
これにより、きつい汚れの洗濯物と軽い汚れの洗濯物とを簡単に分離して分け洗いができ、きつい汚れの洗濯物に機械力を集中させて与えることができるとともに、洗浄液の温度を高めて洗濯物の洗浄力を高めることができる。
【００１４】
【発明の実施の形態】
本発明の請求項１に記載の発明は、外槽内に回転自在に支持された洗濯物を収納する内槽と、前記内槽内に設けられた洗濯物を撹拌する撹拌翼と、前記内槽内に収容する洗濯物を分離する仕切手段と、前記内槽の洗浄液を加熱する加熱手段と、洗浄液の温度を検知する温度検知手段と、前記温度検知手段の情報をもとに洗浄液の温度を制御する制御手段とを具備し、前記仕切手段により、前記内槽内を前記攪拌翼を有する第１の洗浄室と、攪拌翼を有しない第２の洗浄室とに分離するとともに、前記第１の洗浄室で洗浄する第１の洗浄工程と、前記第１及び第２の洗浄室で洗浄する第２の洗浄工程とに分けて洗浄するものであり、きつい汚れの洗濯物を第１の洗浄室に収納し、軽い汚れの洗濯物を第２の洗浄室に収納し、第１の洗浄室で所定温度に制御された洗浄液で第１の洗浄工程を終了後、第１及び第２の洗浄室で常温の洗浄液で洗浄する第２の洗浄工程とに分けて洗浄することが可能となる。
【００１５】
きつい汚れの洗濯物には撹拌翼により機械力が集中的に与えられる。同時に洗浄液は常温より高い温度に制御されているので、温度効果により洗浄力が更に高められる。
【００１６】
また、内槽にきつい汚れと軽い汚れの洗濯物を分けて投入、及び洗剤を投入して洗濯を開始すれば、洗濯、すすぎ、脱水工程を自動で行うことができるので、洗濯物の入れ替えがまったく不要で使い勝手が非常に良い。
【００１７】
請求項２に記載の発明は、上記請求項１に記載の発明において、少なくとも第１の洗浄室で洗浄する第１の洗浄工程に、加熱手段を動作させて洗浄液を加熱して洗浄するものであり、第１の洗浄室に収納されたきつい汚れの洗濯物は、洗浄温度を高めて洗浄できるので洗浄力を高くすることができる。
【００１８】
また、第１の洗浄工程に使用される水量は第１の洗浄室に収納された洗濯物の量に必要な少量の水量ですむため、加熱に要する熱量は少なく、経済的である。
【００１９】
請求項３に記載の発明は、外槽内に回転自在に支持された洗濯物を収納する内槽と、前記内槽内に設けられた洗濯物を撹拌する撹拌翼と、前記内槽内に収容する洗濯物を分離する仕切手段と、洗浄液の温度を検知する温度検知手段と、前記温度検知手段の情報をもとに洗浄液の温度を制御する制御手段とを具備し、前記仕切手段により、前記内槽内を前記攪拌翼を有する第１の洗浄室と、攪拌翼を有しない第２の洗浄室とに分離するとともに、前記第１の洗浄室で洗浄する第１の洗浄工程と、前記第１及び第２の洗浄室で洗浄する第２の洗浄工程とを有し、少なくとも前記第１の洗浄工程で洗濯機外から前記内槽に給湯して洗浄するものであり、給湯設備等で発生するお湯を利用できるので、洗濯機本体に加熱手段を装備しなくても洗浄温度を高めた洗浄が可能となり、簡単な構成で安価に提供することができる。
【００２０】
請求項４に記載の発明は、上記請求項１〜３に記載の発明において、制御手段は、少なくとも第１の洗浄室で洗浄する第１の洗浄工程の洗浄液を所定温度に制御して洗浄するものであり、洗浄温度を一定にすることができるので、季節、時間帯に関係なく安定した高い洗浄力を得ることができる。
【００２１】
請求項５に記載の発明は、上記請求項１〜４に記載の発明において、第１の洗浄工程を終了した後、第２の洗浄工程に必要な所定水量を給水し、前記第１の洗浄工程の後に第２の洗浄工程を実施するものであり、第１の洗浄工程で使用された温度の高い洗浄液と、新たに給水される水と混合されるため、第２の洗浄工程の洗浄温度は新たに給水される水の温度より高温度となり、第２の洗浄室に収納された洗濯物の洗浄力を高めることができる。更に、洗浄液、洗剤を再利用することができるので経済的である。
【００２２】
請求項６に記載の発明は、上記請求項１〜５に記載の発明において、第１の洗浄工程の前に、第１の洗浄室に収納された洗濯物の温水による予洗いと、この予洗いで使用した洗浄液を排水するようにしたものであり、温水の効果により泥汚れ、油汚れ等を予め洗濯物から離脱させることができる。また、予洗い工程で汚れが予め除去されているので、第１の洗浄工程での洗剤は洗浄液中に浮遊する汚れに吸着されることがない。このため、衣類に付着した汚れに対して洗剤の界面活性剤のほとんどが有効に作用するために洗浄力を高めることができる。
【００２３】
【実施例】
以下本発明の実施例について、図面を参照しながら説明する。
【００２４】
（実施例１）
図１は本発明の第１の実施例における洗濯機の縦断面図、図２は仕切手段の斜視図、図３は同洗濯機の洗浄工程を示す工程図、図４および図５は洗浄工程における洗濯水量を示す図である。
【００２５】
図１において、１は洗濯機の筐体２に弾性的に吊り下げられた外槽で、サスペンション機構３により、筐体２から懸垂防振支持して設置されている。４は洗濯物５ａ、５ｂを収容する内槽で、外槽１内に回転中心軸を鉛直方向に有し、回転自在に支持され、洗濯物５ａ、５ｂを出し入れする開口部６を有する有底状のものである。内槽４の周壁には複数の排出口４ａと、内槽４の上方には流体バランサー４ｂを設けている。内槽４内の底部には洗濯物５ｂを撹拌する撹拌翼７を備えている。更に、内槽４内には前記内槽４内の洗濯物５ａ、５ｂを分離収納させる仕切手段８を装備し、前記内槽４内において、撹拌翼７を有する第１の洗浄室９と、この第１の洗浄室９の上方に撹拌翼７を有しない第２の洗浄室１０とに仕切手段８で分離されるように構成している。
【００２６】
仕切手段８は、内槽４に着脱自在に構成されるとともに、第１の洗浄室９の容積を可変自在となるように内槽４内を上下に移動できる構成とし、適切な位置で固定できるようになっている。更に、仕切手段８は枠体１１と通水性のあるネット１２等で構成されている。外槽１の下方には駆動手段１３を設け、その回転軸は、中空で二軸構造を成し、洗濯工程、すすぎ工程および脱水工程において駆動手段１３の回転を撹拌翼７、あるいは、内槽４に伝達する。
【００２７】
１４は外槽１の底部で、且つ内槽４の外部に装備された加熱手段で、第１の洗浄室９で洗浄する洗浄液を加熱するものである。１５は洗浄液の温度を検知する温度検知手段で、前記温度検知手段１５の情報をもとに洗浄液の温度を所定温度に維持するため加熱手段１４を制御する制御手段１６を装備している。
【００２８】
洗浄工程は、前記第１の洗浄室９で洗浄する第１の洗浄工程を終了した後、第１の洗浄室９、及び、第２の洗浄室１０で洗浄する第２の洗浄工程を連続して洗浄するようになっている。１７は給水弁で水道栓（図示せず）と連結される。１８は給水管で外槽１内に洗濯水を供給するものである。１９は洗剤投入手段で洗濯の初期に外槽１内に投入され、洗浄水と混合されて洗浄液となる。２０は排水弁で洗浄液、すすぎ水を排水口２１から筐体２外へ排出する。筐体２の上部には蓋２２を設けている。
【００２９】
以上のように構成された洗濯機について、以下にその動作、作用を説明する。まず、洗濯工程を始めるにあたり、内槽４内に作業服、靴下、ジーンズ等の生地の強度が比較的強く、傷みを気にしないきつい汚れの洗濯物５ｂを先に投入する。その後、仕切手段８を内槽４に装備する。装備する位置は先に投入された洗濯物５ｂの上端程度の高さに使用者が適当な方法で固定する。次に、ハンカチ、デリケートな衣類、カッターシャツ、ブラウス等の比較的軽い汚れの洗濯物５ａを投入する。
【００３０】
投入された洗濯物は、仕切手段８によってきつい汚れの洗濯物５ｂを第１の洗浄室９と、軽い汚れの洗濯物５ａを第２の洗浄室１０に分割して収納されることになる。また、洗剤投入装置１９には第２の洗浄工程に必要な量の洗剤を予め準備しておく。以上の作業を使用者が洗濯を開始する準備作業として実施し、洗濯機のスイッチをオンする。
【００３１】
洗濯機を運転させると、給水弁１７が開となり給水管１８から外槽１内に洗濯水が給水される。同時に洗剤投入手段１９が動作し、外槽１内に洗剤が投入される。図４に示すように、前記洗濯水の給水量は、仕切手段８よりも低い水位で第１の洗浄工程に必要な量を水位検知手段（図示せず）が検知し決定する。
【００３２】
次に、加熱手段１４に通電されて前記洗浄液の加熱が行われる。加熱によって洗浄液の温度は上昇するが温度検知手段１５の情報をもとに制御手段１６が加熱手段１４への通電を制御し所定温度に維持する。所定温度は、洗濯物の種類、汚れの状況に応じて使用者が予め設定するもので、通常は４０℃〜７０℃である。加熱と同時に第１の洗浄室９で洗浄する第１の洗浄工程を開始する。
【００３３】
駆動手段１３の運転により撹拌翼７を正逆運転させ、第１の洗浄室９の洗濯物５ｂを洗浄する。この時、撹拌翼７の機械力は第１の洗浄室９に収納された洗濯物５ｂに集中して与えるとともに、洗濯物５ｂは内槽４の周壁面、及び、仕切手段８のネット１２、洗濯物同士と接触するため機械力が有効に洗濯物５ｂに作用する。
【００３４】
また、洗浄温度は給水される水道水の温度より高温に維持されるため、温度による洗剤の活性作用が強まると共に、洗剤の濃度は標準量より多く投入されているので高濃度の洗浄液で洗浄される。以上のように前記機械力と、温度の効果、及び洗剤の界面活性剤の作用で、きつい汚れ成分を洗濯物から離れ易くし洗浄性能を高めることができる。
【００３５】
第１の洗浄工程に使用される水量は、第１の洗浄室９に投入された洗濯物５ｂを洗浄するのに必要な水量であるため、比較的少ない量で実現できる。従って、この水量を加熱するのに必要な熱量は少なくて良い。また、第１の洗浄工程を実行している期間は、第１の洗浄工程における洗浄液が洗濯物５ｂのみに作用する比較的少量の水量で実現できるため、第１の洗浄室９の水位より上方に位置している第２の洗浄室１０に収納された洗濯物５ａを濡らすことはない。前記動作を所定時間運転して、第１の洗浄工程を終了する。
【００３６】
次に、給水弁１７を開にして給水管１８から外槽１内に洗濯水を所定量給水する。前記所定水量は、第１の洗浄室９、及び、第２の洗浄室１０の洗濯物５ａ、５ｂを洗浄するために必要な水量を追加給水し、水位は図５に示すように水位検知手段（図示せず）が検知して決定する。この時、追加給水後の洗浄液の洗剤濃度は標準濃度となる。
【００３７】
次に、加熱手段１４に通電しないで第２の洗浄工程を開始する。第２の洗浄工程の洗浄液の温度は、第１の洗浄工程で温度を上げているため、給水される洗濯水の温度より高い温度となる。洗浄運転は、撹拌翼７を正逆運転、もしくは、内槽４を回転させて洗浄を行う。撹拌翼７を正逆運転させた場合の第１の洗浄室９に収納された洗濯物５ｂは、第１の洗浄工程と同様に撹拌翼７との接触、あるいは、内槽４、及び仕切手段８、あるいは、洗濯物５ｂ同士の接触により機械力が与えられる。
【００３８】
第２の洗浄室１０に収納された洗濯物５ａには撹拌翼７の回転で発生した水流は洗濯物５ｂ、仕切手段８等の抵抗により、弱められた機械力が与えられる。同時に洗浄液の温度は給水温度より高い温度であるため、汚れは温度効果により落ちやすくなる。従って、洗濯物５ａは軽い汚れ、デリケートな衣類等を収納しているため、弱い機械力でも温度効果によって洗浄力を高めることができる。
【００３９】
また、内槽４を回転させて洗浄を行う場合は、内槽４の回転による遠心力で洗濯物５ａ、５ｂは内槽４の周壁面側に移動すると同時に、洗浄液は内槽４の外周方向に移動する。この時、洗浄液は前記洗濯物５ａ、５ｂを通過して外槽１上方より内槽４の上部より内槽４内に循環する。洗浄液が洗濯物５ａ、５ｂを連続して通過することで汚れは落ちる。洗浄液の通過洗浄は洗濯物に対して強力な機械力を与えないが、洗浄液の温度が高められているので軽い汚れは洗濯物５ａ、５ｂを傷めることなく洗浄することができる。第２の洗浄工程を終了すると、排水弁２０を開にして洗浄液を排水する。その後内槽４を回転させた脱水工程と、水道水を給水して洗濯物５ａ、５ｂのすすぎ工程と、更には脱水工程を実行して全洗濯工程を終了する。
【００４０】
以上のように、本実施例によれば、外槽１内に回転自在に支持され洗濯物を収納する内槽４と、内槽４内に洗濯物を撹拌する撹拌翼７と、前記内槽４内の洗濯物を分離収納させる仕切手段８と、前記内槽４の洗浄液を加熱する加熱手段１４と、洗浄液の温度を検知する温度検知手段１５と、温度検知手段１５の情報をもとに洗浄液の温度を制御する制御手段１６を装備し、前記内槽４において撹拌翼７を有する第１の洗浄室９で洗浄する第１の洗浄工程と、前記第１の洗浄室９および攪拌翼７を有しない第２の洗浄室１０で洗浄する第２の洗浄工程とに分けて洗浄することにより、きつい汚れの洗濯物５ｂと軽い汚れの洗濯物５ａとを簡単に分離し、きつい汚れの洗濯物５ｂに機械力（撹拌翼の運転強度、洗浄時間等により決定される）を集中させて与えることができるとともに、洗浄温度を高めることができ洗浄力を向上することができる。
【００４１】
また、少なくとも第１の洗浄室９で洗浄する第１の洗浄工程に、加熱手段１４を動作させて洗浄液を加熱して洗浄することにより、第１の洗浄室９に収納されたきつい汚れの洗濯物５ｂは、洗浄温度を高めて洗浄できるので洗浄力を高くすることができる。
【００４２】
また、第１の洗浄工程に使用される水量は第１の洗浄室９に収納された洗濯物の量に必要な少量の水量ですむため、加熱熱量は省エネルギで可能となり、経済的である。
【００４３】
また、前記温度検知手段、及び制御手段は、少なくとも第１の洗浄室で洗浄する第１の洗浄工程の洗浄液を所定温度に制御して洗浄することにより、洗浄温度を一定にすることができるので季節、時間帯に関係なく安定した高い洗浄力を得ることができる。
【００４４】
また、所定温度で洗浄する第１の洗浄工程を終了した後、第２の洗浄工程に必要な所定水量を給水して、第２の洗浄工程を連続して実施することにより、第１の洗浄工程で使用された温度の高い洗浄液と、新たに給水される水と混合されるため、第２の洗浄工程の洗浄温度は新たに給水される水の温度より高温度であるので、第２の洗浄室１０に収納された洗濯物の洗浄力を高めることができる。更に洗浄液、洗剤を再利用することができるので経済的である。
【００４５】
なお、本実施例では洗濯を第１の洗浄工程から開始しているが、前記第１の洗浄工程の前に、温水による予洗い工程を実施すれば、なお洗浄力を高めることができる。この方法によれば、温水の効果により泥汚れ、油汚れ等を予め洗濯物から離脱させることができる。
【００４６】
また、第１の洗浄工程での洗剤は汚れに吸着されることがないので、衣類に付着した汚れに対して洗剤の界面活性剤のほとんどが有効に作用するために洗浄力を高めることができる。
【００４７】
また、本実施例では洗濯機を例にしているが、洗濯機に乾燥機能を有した洗濯乾燥機においても同様である。
【００４８】
（実施例２）
図６は本発明の第２の実施例における洗濯機の縦断面図、図７は同洗濯機の概略システム図である。なお、構成は実施例１と同様のものは同一符号とし説明は省略する。
【００４９】
本実施例は給湯設備等により温水を洗濯機に給湯して温水で洗浄するもので、実施例１に比較して洗濯機に加熱手段１４を装備していない点にある。２５は筐体２に内蔵された温水を洗濯機に給湯する給水弁で、給湯設備２６で生成される温水は温水パイプ２７、２８、及び給水栓２９を介して洗濯機に給湯される。前記給湯設備２６は使用される家庭に最良の熱源として電気、ガス、石油等のいずれかを選択して使用される。なお、給湯設備２６は洗濯機への給湯だけでなく、風呂、洗面所、台所等への給湯設備として使用される。
【００５０】
給湯設備２６からの温水は、きつい汚れの洗濯物を洗浄する第１の洗浄工程のみに給湯されるようになっている。３０は水道水の給水栓、３１は給水ホースである。なお、制御手段１６は温度検知手段１５の情報をもとににより給水弁１７、２５を開閉するものである。
【００５１】
以上のように構成された洗濯機について、以下にその動作、作用を説明する。実施例１と異なる点は、第１の洗浄工程で使用される洗浄水を給湯設備２６により洗濯機に給湯して温水で洗浄するものである。洗濯開始の予備作業として、実施例１と同様にきつい汚れの洗濯物５ｂ、軽い汚れの洗濯物５ａを仕切手段８により分割して収納する。
【００５２】
次に、給湯設備２６のスイッチをオン、及び給水栓２９を開放にして、洗濯機のスイッチをオンする。洗濯機を運転させると、給水弁２５が開放し、お湯が第１の洗浄室９に給湯され、洗浄温度が温度検知手段１５の情報より所定温度以上の場合は制御手段１６が給水弁１７を開放し、水道水を給水して温度調整をしながら適当に水位で給湯を停止する。その後、第１の洗浄工程を開始する。
【００５３】
以下、第１の実施例と同様に駆動手段１３を動作させて第１の洗浄工程を実施し終了する。第２の洗浄工程は給水弁１７を開放し水道水を外槽１内に所定水量を給水する。その後の動作は第１の実施例と同様の動作を実行し全洗濯工程を終了する。
【００５４】
以上のように、本実施例によれば、少なくとも第１の洗浄室９で洗浄する第１の洗浄工程に、洗濯機外に設置された給湯設備２６からのお湯を使用して洗浄することにより、給湯設備２６で発生するお湯を利用できるので、洗濯機本体に加熱手段１４を装備しなくても洗浄温度を高めた洗浄が可能となり、簡単な構成で安価に提供することができる。
【００５５】
【発明の効果】
以上のように本発明によれば、外槽内に回転自在に支持された洗濯物を収納する内槽と、前記内槽内に設けられた洗濯物を撹拌する撹拌翼と、前記内槽内に収容する洗濯物を分離する仕切手段と、前記内槽の洗浄液を加熱する加熱手段と、洗浄液の温度を検知する温度検知手段と、前記温度検知手段の情報をもとに洗浄液の温度を制御する制御手段とを具備し、前記仕切手段により、前記内槽内を前記攪拌翼を有する第１の洗浄室と、攪拌翼を有しない第２の洗浄室とに分離するとともに、前記第１の洗浄室で洗浄する第１の洗浄工程と、前記第１及び第２の洗浄室で洗浄する第２の洗浄工程とに分けて洗浄するから、きつい汚れの洗濯物と軽い汚れの洗濯物とを簡単に分離し、きつい汚れの洗濯物に機械力を集中させて与えることができるとともに、洗浄温度を高めることができ洗浄力を向上することができる。また、第１の洗浄工程に使用される水量は第１の洗浄室に収納された洗濯物の量に必要な少量の水量だけですむため、加熱に要する熱量は少なく、経済的である。
【図面の簡単な説明】
【図１】本発明の実施例１における洗濯機の縦断面図
【図２】同洗濯機の仕切手段の斜視図
【図３】同洗濯機の洗浄工程を示す工程図
【図４】同洗濯機の洗浄工程における洗濯水量を示す図
【図５】同洗濯機の洗浄工程における洗濯水量を示す図
【図６】本発明の実施例２における洗濯機の縦断面図
【図７】同洗濯機の概略システム図
【符号の説明】
１  外槽
４  内槽
５ａ  洗濯物
５ｂ  洗濯物
７  撹拌翼
８  仕切手段
９  第１の洗浄室
１０  第２の洗浄室
１３  駆動手段
１４  加熱手段
１５  温度検知手段
１６  制御手段
【図１】
2004159974.tif 000003
【図２】
2004159974.tif 000004
【図３】
2004159974.tif 000005
【図４】
2004159974.tif 000006
【図５】
2004159974.tif 000007
【図６】
2004159974.tif 000008
【図７】
2004159974.tif 000009